(57)【要約】【課題】  二重構造において、前後方向の変位及び上下方向の変位に対応可能な笠木を提供する。【解決手段】  パラペット２と外壁パネル103の天端部２Ｔ，103Ｔにブラケット３を取り付け、このブラケット３に笠木本体４を嵌着する。ブラケット３は、パラペット２及び外壁パネル103に固定するパラペット側平板部５Ｐ及び外壁側平板部５Ｇを有する。笠木本体４は、天板部14と、側板部15，15と、ブラケット３の垂壁部６，６の下端部に係止するフランジ部16，16とを有し、笠木本体４の天板部14を屈曲連結部21により幅方向屈曲可能に形成する。また、フランジ部16を平板部５Ｐ，５Ｇの下端部より幅広に形成する。パラペット２と外壁パネル103の間隔が変る前後方向の変位が生じると、フランジ部16へのブラケット下端部の係止位置が変り、前記変位を吸収する。【選択図】        図１
2005220686.tif 000002
【特許請求の範囲】
【請求項１】
躯体の外側に外壁パネルを設け、前記躯体のパラペットと前記外壁パネルの天端部にブラケットを所定間隔をおいて取り付け、このブラケットに笠木本体を嵌着する笠木において、前記ブラケットは、前記パラペット及び外壁パネルに固定するパラペット固定部及び外壁固定部を有し、前記笠木本体は、前記天端部の長手方向に延びる天板部と、該天板部の幅方向の両外端側に設けられた側板部と、これら側板部から内側に突設され前記両固定部の下端部に係止するフランジ部とを有し、前記笠木本体の天板部を幅方向屈曲可能に形成し、少なくとも一方の前記フランジ部が前記固定部の下端部より幅広に形成されていることを特徴とする笠木。
【請求項２】
前記笠木本体は、天板部を分割したパラペット側分割笠木本体と外壁側分割笠木本体とを屈曲連結部により連結してなることを特徴とする請求項１記載の笠木。
【請求項３】
前記フランジ部には、前記固定部の下端部が係止する係止受け部を幅方向に複数設けたことを特徴とする請求項１又は２記載の笠木。
【発明の詳細な説明】
【技術分野】
【０００１】
本発明は、躯体の外側に外壁パネルを設け、その躯体のパラペットと外壁パネルの天端部に設ける笠木に関する。
【背景技術】
【０００２】
従来より、パラペットの上部には、ひび割れによる漏水などを防止するために笠木が取り付けられている。このような笠木は、一般にアルミ材を押出成形した薄板状の断面コ字型であって、パラペット天端部に所定間隔毎に取り付けられた複数のブラケットに対して上から嵌め込んで取り付けられる。この場合、笠木とブラケットとの間にリブ部材などを立設して、当該リブ部材によって笠木を担持し、パラペット天端部と笠木との間に所定の空間を設け、笠木とパラペットとの膨張率の差による笠木の変形等を防止するようになっている（例えば、特許文献１参照。）。
【０００３】
ところで、新設の建築物の外装や既設建築物の改装などにおいて、建築物の躯体の外側に外側パネルを設ける工法が知られており、躯体外壁と外側パネルの間に空気層を設けたり、断熱材をサンドイッチ状に挟んだりすることにより建築物の断熱性の向上が図られ、既設建築物では、躯体外壁を補修する場合に比べて安価に外装を改修することができる。
【特許文献１】特開平１１−９３３５６号公報
【発明の開示】
【発明が解決しようとする課題】
【０００４】
上記のように躯体外壁と外壁パネルとの二重構造では、躯体外壁と外壁パネルとで、経時的に、外壁パネルの内外方向の変位により両者間が開いたり狭まったり、あるいは、上下方向の変位により両者の天端部が上下にずれたりする場合がある。
【０００５】
このため、躯体外壁と外壁パネルの天端部に跨ってブラケットを設け、このブラケットを外壁のパラペット側のみに固定する構造が知られている。この構造では、躯体外壁と外壁パネルとの間の間隔が変る変位には対応できるが、両者の天端部が上下する変位が生じたり、この上下の変位に加えて間隔が変る変位が生じると、これに対応することができず、笠木が変形したり外れたりして、補修交換を行わなければならないという問題がある。
【０００６】
本発明は、このような問題を解決しようとするもので、二重構造において、前後方向の変位及び上下方向の変位に対応可能な笠木を提供することを目的とする。
【課題を解決するための手段】
【０００７】
請求項１の発明は、躯体の外側に外壁パネルを設け、前記躯体のパラペットと前記外壁パネルの天端部にブラケットを所定間隔をおいて取り付け、このブラケットに笠木本体を嵌着する笠木において、前記ブラケットは、前記パラペット及び外壁パネルに固定するパラペット固定部及び外壁固定部を有し、前記笠木本体は、前記天端部の長手方向に延びる天板部と、該天板部の幅方向の両外端側に設けられた側板部と、これら側板部から内側に突設され前記両固定部の下端部に係止するフランジ部とを有し、前記笠木本体の天板部を幅方向屈曲可能に形成し、少なくとも一方の前記フランジ部が前記固定部の下端部より幅広に形成されているものである。
【０００８】
また、請求項２の発明は、前記笠木本体は、天板部を分割したパラペット側分割笠木本体と外壁側分割笠木本体とを屈曲連結部により連結してなるものである。
【０００９】
請求項３の発明は、前記フランジ部には、前記固定部の下端部が係止する係止受け部を幅方向に複数設けたものである。
【発明の効果】
【００１０】
請求項１の発明によれば、パラペットと外壁パネルの間隔が変る前後方向の変位が生じると、フランジ部へのブラケット下端部の係止位置が変り、前記変位を吸収する。また、パラペットと外壁パネルとの間で上下方向の変位が生じたり、パラペットと外壁パネルの天端部同士の角度が変る変位が生じたりすると、天板部が屈曲すると共に、この屈曲によるフランジ部の前後方向移動が、フランジ部へのブラケット下端部の係止位置が変ることにより吸収される。
【００１１】
従って、パラペットと外壁パネルの間隔が変る前後方向の変位と上下方向の変位とが同時に発生しても笠木が外れることがなく、安定した取付構造が得られる。
【００１２】
請求項２の発明によれば、上下方向の変位に対し、天板部が屈曲連結部において屈曲可能となる。
【００１３】
また、請求項３の発明によれば、前記ブラケット部の下端部の係止受け部への係止位置が変ることにより、パラペットと外壁パネルの間隔が変る前後方向の変位を吸収でき、吸収した位置で、下端部が係止受け部に係止するため、笠木本体の安定した取付構造が得られる。
【発明を実施するための最良の形態】
【００１４】
本発明における好適な実施の形態について、添付図面を参照しながら詳細に説明する。なお、以下に説明する実施の形態は、特許請求の範囲に記載された本発明の内容を限定するものではない。また、以下に説明される構成の全てが、本発明の必須要件であるとは限らない。各実施例では、従来とは異なる新規な笠木を採用することにより、従来にない笠木が得られ、その笠木を夫々記述する。
【実施例１】
【００１５】
以下、本発明の笠木を添付図面を参照して説明する。図１〜図７は、本発明の実施例１を示す。本実施例においては、建物の躯体101の外壁102の外側に外壁パネル103を設け、前記外壁102と外壁パネル103との間に間隔104を設け、この間隔により空気断熱層などを構成している。
【００１６】
このように外壁二重構造110の建物において、躯体101たる建物の屋上のパラペット２と前記外壁パネル103の天端部２Ｔ，103Ｔに、笠木１を設ける例を説明する。尚、以下の説明では、天端部２Ｔ，103Ｔにおいて、前記間隔104側が笠木幅方向の内側で、この間隔104に対してパラペット２側及び外壁パネル103側が笠木幅方向の外側である。
【００１７】
まず、笠木１のブラケット３から説明する。ブラケット３は、アルミニウムの押出成形品であり、前記パラペット２の天端部２Ｔに固定されるパラペット固定部たるパラペット側平板部５Ｐと、前記外壁パネル103の天端部103Ｔに固定される外壁固定部たる外壁側平板部５Ｇとを有し、前記パラペット側平板部５Ｐの外端側から垂壁部６が一体に垂設され、前記外壁平板部５Ｇの外端側から垂壁部６が一体に垂設されている。
【００１８】
また、前記パラペット側平板部５Ｐには、幅方向内側及び外側に、先端に緩衝ゴム７が装着された受けリブ８，８が突設され、これら受けリブ８，８の下部には挿通孔19が形成されおり、笠木本体４の裏面側に当接して該笠木本体４の裏面を支えるようになっている。そして、パラペット２は外壁パネル103より幅広な天端部２Ｔを有し、この天端部２Ｔに固定する平板部10Ｐに、幅方向両側で複数の受けリブ８，８を設けることにより、笠木本体４を支持することができ、特に、内側に設けた受けリブ８が天板部14の中央側で、屈曲連結部21の近傍で支持するため、安定した支持状態が得られる。
【００１９】
また、前記外壁側平板部５Ｇには、幅方向外側に、先端に緩衝ゴム７が装着された受けリブ８が突設され、この受けリブ８の下部には挿通孔19が形成されおり、笠木本体４の裏面側に当接して該笠木本体４の裏面を支えるようになっている。また、前記外壁側平板部５Ｇの内端には、縦リブ８Ａが突設され、この縦リブ８Ａの下部には挿通孔19が形成されている。
【００２０】
10Ｐ，10Ｇは前記ブラケット３のパラペット側，外壁側平板部５Ｐ，５Ｇに添設するための、鋼板からなる平板を曲げ加工した補強プレートであり、両側縁を上側に折曲して断面コ字型に形成されている。
【００２１】
また、パラペット側の補強プレート10Ｐには、前記パラペット側平板部５Ｐに形成された長孔11，11と対応する位置に長孔12，12が形成され、長孔11，11にはそれぞれアンカーボルト13，13が挿入され、これらアンカーボルト13，13によってパラペット２の天端部２Ｔに補強プレート10Ｐとパラペット側平板部５Ｐとが共締め固定されている。
【００２２】
また、外壁側の補強プレート10Ｇには、前記パラペット側平板部５Ｐに形成された長孔11と対応する位置に長孔12が形成され、長孔11にはそれぞれアンカーボルト13が挿入され、このアンカーボルト13，13によって外壁パネル103の天端部103Ｔに補強プレート10Ｇと外壁側平板部５Ｇとが共締め固定されている。
【００２３】
次に、笠木本体４について説明する。笠木本体４は、ブラケット３と同様に、アルミニウムを一体的に押出成形して形成されたもので、パラペット２及び外壁パネル103の天端部２Ｔ，103Ｔに沿って長手方向に延びた天板部14と、天板部14の両外端縁に垂設された一対の側板部15，15とを有している。また、前記側板部15の先端側には、ブラケット３に引っ掛けて笠木４を固定するためのＬ型のフランジ部16が笠木幅方向内側に向かって形成されている。
【００２４】
前記笠木本体４は、天板部14を幅方向中央で分割した天板部1４Ｐ，1４Ｇと側板15，15からなるパラペット側分割笠木本体４Ｐと外壁側分割笠木本体４Ｇとに分割形成されており、これら分割笠木本体４Ｐ，４Ｇの内端同士を屈曲連結部21により回動可能に連結することにより、笠木本体４の天板部14を幅方向屈曲可能としている。
【００２５】
前記屈曲連結部21は、パラペット側及び外壁側分割笠木本体４Ｐ，４Ｇの一方の内端に回動部22を形成するとともに、他方の内端に回動受け部23を形成してなり、この例では分割笠木本体４Ｇに前記回動部22を形成している。前記回動受け部23は、略円筒状の中空部23Ａを有し、この中空部23Ａの内端側に開口部24を形成し、前記回動部22は円柱状をなす中心部25に複数の放射状の仕切りリブ部26，26，26を設け、その回動部22が前記回動受け部23内に回動可能に連結される。
【００２６】
前記中空部23Ａは、前記外壁側天板部５Ｇの内端裏面側に一体に形成され、連結状態で、中空部23Ａの一部が両天板部５Ｇ，５Ｐ間の段部27を構成する。また、前記開口部24の中空部23Ａにおける角度は９０度以下である。また、前記仕切りリブ部26，26，26は、中心部25の上下と天板部５の反対側とにそれぞれ形成され、隣合うリブ部26，26が略９０度の角度をなしており、中心部25の中心とリブ部26の先端の長さは、前記中空部23Ａの半径に対応し、リブ部26，26，26の先端が中空部23Ａの内面に摺動しながら、天板部14が回動可能になっている。また、中空部23Ａには、リブ部26，26，26の間に、弾性部材28を設ける。この弾性部材28は、シーリング材例えばシーラントを充填することにより構成され、天板部14が屈曲連結部21で屈曲可能な弾性と、屈曲連結部21において天板部14の表裏方向への水の浸入を防止する止水性を有する。このように弾性部材28を設けるから、前記中心部25の中心とリブ部26の先端の長さは、前記中空部23Ａの半径より短く、その先端が中空部23Ａの内面に摺動しなくともよい。
【００２７】
前記パラペット２の天端部２Ｔと外壁パネル103の天端部103Ｔとの間には、前記間隔104を塞ぐ防水シート29が設けられ、この防水シート29は可撓性を有し、両端を平板部５Ｐ，５Ｇにより天端部２Ｔ，103Ｔに挟着固定されている。
【００２８】
図２に示すように、前記フランジ部16の上面には複数の半球状突条31，31…を形成し、これら突条31，31…の間に、前記水壁部６，６の下端部が係止する係止受け部たる凹部32が形成されている。
【００２９】
次に上記構成につきその作用・効果を説明する。まず、平板部５Ｐ，５Ｇの受けリブ８に形成された挿通孔19に補強プレート10Ｐ，10Ｇを通し、これら補強プレート10Ｐ，10Ｇの長孔12及び平板部５Ｐ，５Ｇの長孔11にボルト13を挿入し、このボルト13によってパラペット２の天端部２Ｔと外壁パネル103の天端部103Ｔに補強プレート10Ｐ，10Ｇと平板部５Ｐ，５Ｇとを共締め固定する。この際、天端部２Ｔ，103Ｔ間の間隔104の上部を塞ぐように防水シート29を取り付ける。このように平板状の補強プレート10Ｐ，10Ｇを用いることによって、平板部５Ｐ，５Ｇの変形を規制することができる。このようにパラペット側と外壁パネル側にそれぞれ分割されたブラケット３の平板部５Ｐ，５Ｇを天端部２Ｔと天端部103Ｔにそれぞれ別々に固定する。
【００３０】
次に、笠木本体４の天板部14を外側に開くように屈曲連結部21で天板部14を屈曲させると共に必要に応じて天板部14を弾性変形させてブラケット３上から笠木本体４を降ろし、受けリブ８，８，８の先端に天板部14の裏面とが接したら側板部15，15を狭めるようにを弾性復帰させて側板部15に形成されたフランジ部16を垂壁部６に係止させる。この場合、天板部14には屈曲連結部21が設けられているから、従来に比べて笠木本体４を弾性変形させる必要が少なく、簡便に取り付けを行うことができる。
【００３１】
尚、中空部23Ａ内にはリブ部26，26，26の間にシーリング材などを充填することにより弾性部材28を設けておき、予め弾性部材28を設けた笠木本体４を、ブラケット３に取り付ける。あるいは現場でブラケット３に笠木本体４を取り付けた後、弾性部材28を設けるようにしてもよい。
【００３２】
このような笠木１においては、図５及び図６に示すように、外壁パネル103がパラペット２より高くなる変位が生じると、屈曲連結部21により天板部14が略へ字状に屈曲し、これに対応して、側板部15の下端部の凹部32係止位置が変り、あるいは、図７に示すように、外壁パネル103とパラペット２の天端部103Ｔ，２Ｔに角度が生じるような変位に対しても、屈曲連結部21により天板部14が略へ字状に屈曲し、これに対応して、側板部15の下端部の凹部32係止位置が変ることにより、ブラケット３への安定した笠木本体４の取り付け状態を維持できる。
【００３３】
このように本実施例では、請求項１に対応して、躯体101の外側に外壁パネル103を設け、躯体101のパラペット２と外壁パネル103の天端部２Ｔ，103Ｔにブラケット３を所定間隔をおいて取り付け、このブラケット３に笠木本体４を嵌着する笠木１において、ブラケット３は、パラペット２及び外壁パネル103に固定するパラペット固定部たるパラペット側平板部５Ｐ及び外壁固定部たる外壁側平板部５Ｇとを有し、笠木本体４は、天端部２Ｔ，103Ｔの長手方向に延びる天板部14と、該天板部14の幅方向の両外端側に設けられた側板部15，15と、これら側板部15，15から内側に突設され両平板部５Ｐ，５Ｇの垂壁部６，６の下端部に係止するフランジ部16，16とを有し、笠木本体４の天板部14を幅方向屈曲可能に形成し、少なくとも一方のフランジ部16が平板部５Ｐ，５Ｇの下端部より幅広に形成されているから、パラペット２と外壁パネル103の間隔が変る前後方向の変位が生じると、フランジ部16へのブラケット下端部の係止位置が変り、前記変位を吸収する。また、パラペット２と外壁パネル103との間で上下方向の変位が生じたり、パラペット２と外壁パネル101の天端部２Ｔ，103Ｔ同士の角度が変る変位が生じたりすると、天板部14が屈曲すると共に、この屈曲によるフランジ部16の前後方向移動が、フランジ部16へのブラケット下端部の係止位置が変ることにより吸収される。従って、パラペット２と外壁パネル103の間隔が変る前後方向の変位と上下方向の変位とが同時に発生しても笠木１が外れることがなく、安定した取付構造が得られる。
【００３４】
また、このように本実施例では、請求項２に対応して、笠木本体４は、天板部14を分割したパラペット側分割笠木本体４Ｐと外壁側分割笠木本体４Ｇとを屈曲連結部21により連結してなるから、上下方向の変位に対し、天板部14が屈曲連結部21において屈曲可能となる。
【００３５】
また、このように本実施例では、請求項３に対応して、フランジ部16には、固定部たる平板部５Ｐ，５Ｇの下端部が係止する係止受け部たる凹部32を幅方向に複数設けたから、平板部５Ｐ，５Ｇの下端部の凹部32への係止位置が変ることにより、パラペット２と外壁パネル103の間隔が変る前後方向の変位を吸収でき、吸収した位置で、下端部が凹部32に係止するため、笠木本体４の安定した取付構造が得られる。
【００３６】
また、実施例上の効果として、回動部22と回動受け部23との間に弾性止水部材28を設けることにより、屈曲連結部21における止水性を向上することができると共に、両者のがたつきの発生を防止できる。また、凹部32を湾曲面を有する半球状突条31の間に設けたから、外壁二重構造110の変位に伴う垂壁部６の下端部の凹部32間における移動が無理なく行われる。また、笠木本体４の天板部14に段差部27が設けられているから、天板部14の断面係数が増加しており、落下物や強風、豪雨、積雪(豪雪)などによって天板部14に外力が加わった場合であっても、撓みや凹みの度合いが小さくなる。また、屈曲連結部21は、円筒状の中空部23Ａの一部に開口部24を設けた中空部23Ａと、仕切りリブ部26を設けた中心部25とを組み合わせたものであるから、平板部分に比べて断面性能に優れ、屈曲連結部21において天板部14を屈曲可能としながら、所定の強度を得ることができる。ゆえに長期に渡って美観が損なわれることなく、また、撓んだ箇所や窪んだ箇所に雨水が溜まって、布団などを欄干に干す際に水が布団についてしまうことがない。また、撓みや凹み箇所から亀裂が生じて、笠木本体４とパラペット１との間の空間20に雨水などが溜まって、笠木内部が腐食してしまう可能性が低い。
【実施例２】
【００３７】
図８は本発明の実施例２を示し、上記実施例１と同一部分に同一符号を付し、その詳細な説明を省略して詳述すると、この例では、前記間隔104に断熱材35を設け、この断熱材35を前記パラペット２と外壁パネル103によりサンドイッチ状に挟んだ構成を採用している。尚、前記断熱材35は弾性及び柔軟性を有するものである。
【００３８】
したがって、この例では、パラペット２と外壁パネル103との間に設けた断熱材35により、高い断熱性能を備えた外壁二重構造110が得られる。
【００３９】
以上、本発明の実施形態について詳述したが、本発明は前記各実施形態に限定されるものではなく、本発明の要旨の範囲内で種々の変形実施が可能である。例えば、実施例では天板部の幅方向に１箇所の屈曲連結部を設けたが、２ヶ所以上でもよい。また、躯体の外壁に外壁パネルを直接当接する状態で取り付け、両者間に間隔のない外壁二重構造にも適用可能できることは言うまでもない。
【図面の簡単な説明】
【００４０】
【図１】本発明の実施例１を示す断面図である。
【図２】同上、フランジ部に固定部の下端部が係止した状態を示す拡大断面図である。
【図３】同上、分解斜視図である。
【図４】同上、初期取付状態の断面図である。
【図５】同上、外壁パネルとパラペットとの間で上下方向の変位を生じ、パラペットが高くなった場合の取付状態の断面図である。
【図６】同上、外壁パネルとパラペットとの間で上下方向の変位を生じ、外壁パネルがが高くなった場合の取付状態の断面図である。
【図７】同上、外壁パネルとパラペットとの間が天端部に角度が生じる変位が生じた場合の取付状態の断面図である。
【図８】本発明の実施例２を示す断面図である。
【符号の説明】
【００４１】
１  笠木
２  パラペット
２Ｔ  天端部
３  ブラケット
４  笠木本体
４Ｐ  分割笠木本体
４Ｇ  分割笠木本体
５Ｐ  パラペット側平板部（パラペット側固定部）
５Ｇ  外壁側平板部（外壁側固定部）
６  垂壁部
６  垂壁部
14  天板部
15  側板部
16  フランジ部
21  屈曲連結部
22  回動部
23  回動受け部
32  凹部（係止受け部）
101  躯体
103  外壁パネル
103Ｔ  天端部
104  間隔
【図１】
2005220686.tif 000003
【図２】
2005220686.tif 000004
【図３】
2005220686.tif 000005
【図４】
2005220686.tif 000006
【図５】
2005220686.tif 000007
【図６】
2005220686.tif 000008
【図７】
2005220686.tif 000009
【図８】
2005220686.tif 000010